(57)【要約】      （修正有）【課題】表示装置を具える監視カメラにおいて、該表示装置に表示する表示コンテンツを容易に更新できる装置を提供する。【解決手段】前端のレンズ２１と、一方の側面の表示装置２２と、内設されるビデオ・オーディオ制御回路２３とを具え、さらに外部接続する電源供給手段２４をも含み構成される監視カメラ２と、メイン制御回路３１と、表示制御モジュール３２とによってなり、かつ該表示制御モジュール３２が、一端が該表示制御モジュール３２と電気的に接続し他端が入力装置の外部接続に供する接続ポート３２１を有するディジタルビデオ・オーディオデータ保存手段３と、一端が該監視カメラ２の後端を経て、ビデオ・オーディオ制御回路２３に電気的に接続し、他端が該ディジタルビデオ・オーディオデータ保存手段３に接続されるビデオ・オーディオケーブル５を含む。【選択図】図２
0003182008.tif 000002
【実用新案登録請求の範囲】
【請求項１】
前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
メイン制御回路と、表示制御モジュールとによってなり、かつ該表示制御モジュールが、一端が該表示制御モジュールと電気的に接続し他端が入力装置の外部接続に供する接続ポートを有するディジタルビデオ・オーディオデータ保存手段と、
一端が該監視カメラの後端を経て、該ビデオ・オーディオ制御回路に電気的に接続し、他端が該ディジタルビデオ・オーディオデータ保存手段に接続して、該ディジタルビデオ・オーディオデータ保存手段のメイン制御回路と電気的に接続するビデオ・オーディオケーブルと、
一端が該監視カメラ２後端に接続して、該監視カメラのビデオ・オーディオ制御回路に電気的に接続し、他端が該ディジタルビデオ・オーディオデータ保存手段に設けられて該ディジタルビデオ・オーディオデータ保存手段の表示制御モジュールと電気的に接続する少なくとも１以上の表示信号伝送ケーブルと、によってなり、
入力装置を該接続ポートに接続して該表示装置に表示される表示コンテンツを更新できるように構成したことを特徴とする表示モジュールの表示コンテンツを更新する手段を具えた監視用カメラ。
【請求項２】
前記監視カメラの少なくとも一方の面に発光手段が設けられ、
該接続ポートがＵＳＢポートか、ＰＳ２ポートか、もしくは２線、又は３線式コンセントであって、
前記入力装置が携帯電話機か、コンピュータか、パーソナル・ディジタル・アシストか、マウスか、もしくはキーボードの内の任意の一であって、
前記発光手段が液晶発光装置か、有機ＥＬか、もしくは発光ダイオードの内の任意の一であって
前記表示コンテンツが、文字、図形、記号、もしくはこれらの組み合わせの内の任意の一であることを特徴とする請求項１に記載の表示モジュールの表示コンテンツを更新する手段を具えた監視用カメラ。
【請求項３】
前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
該監視カメラからの映像信号発信する無線送受信回路を具え、かつ該無線送受信回路を介して、更新する表示データを受信するビデオ・オーディオ制御回  路と、
メイン制御回路と、表示制御モジュールとによってなり、かつ該表示制御モジュールが、一端が該表示制御モジュールと電気的に接続し他端が入力装置の外部接続に供する接続ポートを有するディジタルビデオ・オーディオデータ保存手段と、
該表示制御モジュールに設けられて該入力装置から入力された更新する表示データを無線方式で該ビデオ・オーディオ制御回路の無線送受信回路に出力する無線送信回路と、を具え、
該入力装置を該接続ポートに接続して該表示装置に表示される表示コンテンツを更新できるように構成したことを特徴とする表示モジュールの表示コンテンツを更新する手段を具えた監視用カメラ。
【請求項４】
前記監視カメラの少なくとも一方の面に発光手段が設けられ、
該接続ポートがＵＳＢポートか、ＰＳ２ポートか、もしくは２線、又は３線式コンセントであって、
前記入力装置が携帯電話機か、コンピュータか、パーソナル・ディジタル・アシストか、マウスか、もしくはキーボードの内の任意の一であって、
前記発光手段が液晶発光装置か、有機ＥＬか、もしくは発光ダイオードの内の任意の一であって
前記表示コンテンツが、文字、図形、記号、もしくはこれらの組み合わせの内の任意の一であることを特徴とする請求項３に記載の表示モジュールの表示コンテンツを更新する手段を具えた監視用カメラ。
【請求項５】
前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
ビデオ・オーディオデータを保存、制御するためのインタフェイス手段を具え、該インタフェイス手段が、該コンピュータのマザーボードに電気的に接続するコンピュータと、
一端が該ディジタル監視カメラの後端に接続して該ディジタル監視カメラのビデオ・オーディオ制御回路に電気的に接続し、他端が該コンピュータに接続し、かつ該コンピュータと該ビデオ・オーディオデータ保存制御とに接続する少なくとも１以上の表示信号伝送ケーブルと、によってなり、
該コンピュータと該ビデオ・オーディオデータ保存制御インタフェイス８１と電気的に接続するインタフェイス手段を具えることを特徴とする表示モジュールの表示コンテンツを更新する手段を具えた監視用カメラ。
【請求項６】
前記監視カメラの少なくとも一方の面に発光手段が設けられ、
該接続ポートがＵＳＢポートか、ＰＳ２ポートか、もしくは２線、又は３線式コンセントであって、
前記入力装置が携帯電話機か、コンピュータか、パーソナル・ディジタル・アシストか、マウスか、もしくはキーボードの内の任意の一であって、
前記発光手段が液晶発光装置か、有機ＥＬか、もしくは発光ダイオードの内の任意の一であって
前記表示コンテンツが、文字、図形、記号、もしくはこれらの組み合わせの内の任意の一であることを特徴とする請求項５に記載の表示モジュールの表示コンテンツを更新する手段を具えた監視用カメラ。
【考案の詳細な説明】
【技術分野】
【０００１】
この考案は監視用モニターに関し、特にリモートコントロールによって、監視用カメラの表示モジュールの表示コンテンツを更新する装置に関する。
【背景技術】
【０００２】
監視用モニターは日常生活で多用されている。街路、銀行、商店、もしくは軍事基地などに設置され、映像を記録するのみならず、リアルタイムで監視する機能をも有する。但し、その主要な目的は、犯罪の予防と、刑事事件における事実の立証にある。これまで監視用モニターによって多くの刑事事件が解決され、法を犯そうと企む者に警告を与え、犯罪の発生率を低減させている。その社会に対する重要性は、ここからも明らかである。
【０００３】
しかしながら、一般の監視用モニターは、単に監視の作用しか有しなく、その他の付加価値を具える機能は付随していない。仮に、監視用モニターをレストラン、商品ｎ売場などの特定の地点に設置し、顧客に対する祝賀のメッセージを表示したり、もしく犯罪予防の警告などを表示したりすることができれば、顧客の注目を集め、犯罪の発生率を抑えることもでる。
【０００４】
また、監視カメラなどの装置が故障しているかを、装置の外観から判断することは難しい。これを容易に判別できる付加的機能を具えていれば、監視カメラなどの故障を容易に知ることができる。よって、故障時に迅速な対応を行うことができる。ここから、監視カメラを含む監視システムの稼働率を高めることができる。
【０００５】
また。従来の監視カメラには、図１に開示する構造を有するものもある。
図面によれば、監視カメラ本体１と、監視カメラ本体１内に設けられる回路基板１１と、回路基板１１に電気的に接続して電力を供給する電源供給器１２と、を含んでなる。
【０００６】
また、監視カメラ本体１の少なくとも一方の側面には表示装置１３を設ける。表示装置１３は監視カメラ本体１の内部に設けた回路基板１と電気的に接続し、回路基板１１に設けた制御回路１１１が出力する制御信号にしたがって文字、もしくは図形を表示する。
【０００７】
前述する従来の監視カメラの構造は、制御回路１１１が制御信号を出力して、表示した表示コンテンツを表示装置に表示する。但し、表示コンテンツを更新
しようとした場合、高所に取付けた監視用カメラを取り外して、監視カメラ本体１の内部の回路基板１１の制御回路１１１内に保存した表示コンテンツを更新しなければならない。そうしてこそ、監視用カメラの表示装置１３に表示する表示コンテンツを更新することができる。このように、高所から監視用カメラを取り外す作業は、面倒である。したがって、使用上不便である。
【考案の概要】
【考案が解決しようとする課題】
【０００８】
そこで、この発明は、表示装置を具える監視カメラにおいて、該表示装置に表示する表示コンテンツを容易に更新できる装置を提供すること課題とする。
【課題を解決するための手段】
【０００９】
そこで本考案者は、前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
メイン制御回路と、表示制御モジュールとによってなり、かつ該表示制御モジュールが、一端が該表示制御モジュールと電気的に接続し他端が入力装置の外部接続に供する接続ポートを有するディジタルビデオ・オーディオデータ保存手段と、
一端が該監視カメラの後端を経て、該ビデオ・オーディオ制御回路に電気的に接続し、他端が該ディジタルビデオ・オーディオデータ保存手段に接続して、該ディジタルビデオ・オーディオデータ保存手段のメイン制御回路と電気的に接続するビデオ・オーディオケーブルと、
一端が該監視カメラ２後端に接続して、該監視カメラのビデオ・オーディオ制御回路に電気的に接続し、他端が該ディジタルビデオ・オーディオデータ保存手段に設けられて該ディジタルビデオ・オーディオデータ保存手段の表示制御モジュールと電気的に接続する少なくとも１以上の表示信号伝送ケーブルと、によってなり、
入力装置を該接続ポートに接続して該表示装置に表示される表示コンテンツを更新できるように構成したことを特徴とする表示モジュールの表示コンテンツを更新する手段を具えた監視用カメラによって課題を解決できる点に着眼し、かかる知見に基づいて本考案を完成させた。
【００１０】
以下、この考案について説明する。
請求項１に記載する表示モジュールの表示コンテンツを更新する手段を具えた監視用カメラは
前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
メイン制御回路と、表示制御モジュールとによってなり、かつ該表示制御モジュールが、一端が該表示制御モジュールと電気的に接続し他端が入力装置の外部接続に供する接続ポートを有するディジタルビデオ・オーディオデータ保存手段と、
一端が該監視カメラの後端を経て、該ビデオ・オーディオ制御回路に電気的に接続し、他端が該ディジタルビデオ・オーディオデータ保存手段に接続して、該ディジタルビデオ・オーディオデータ保存手段のメイン制御回路と電気的に接続するビデオ・オーディオケーブルと、
一端が該監視カメラ２後端に接続して、該監視カメラのビデオ・オーディオ制御回路に電気的に接続し、他端が該ディジタルビデオ・オーディオデータ保存手段に設けられて該ディジタルビデオ・オーディオデータ保存手段の表示制御モジュールと電気的に接続する少なくとも１以上の表示信号伝送ケーブルと、によってなり、
入力装置を該接続ポートに接続して該表示装置に表示される表示コンテンツを更新できるように構成する。
【００１１】
請求項２に記載する表示モジュールの表示コンテンツを更新する手段を具えた監視用カメラは、請求項１における記監視カメラの少なくとも一方の面に発光手段が設けられ、
該接続ポートがＵＳＢポートか、ＰＳ２ポートか、もしくは２線、又は３線式コンセントであって、
前記入力装置が携帯電話機か、コンピュータか、パーソナル・ディジタル・アシストか、マウスか、もしくはキーボードの内の任意の一であって、
前記発光手段が液晶発光装置か、有機ＥＬか、もしくは発光ダイオードの内の任意の一であって
前記表示コンテンツが、文字、図形、記号、もしくはこれらの組み合わせの内の任意の一である。
【００１２】
請求項３に記載する表示モジュールの表示コンテンツを更新する手段を具えた監視用カメラは、前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
該監視カメラからの映像信号発信する無線送受信回路を具え、かつ該無線送受信回路を介して、更新する表示データを受信するビデオ・オーディオ制御回  路と、
メイン制御回路と、表示制御モジュールとによってなり、かつ該表示制御モジュールが、一端が該表示制御モジュールと電気的に接続し他端が入力装置の外部接続に供する接続ポートを有するディジタルビデオ・オーディオデータ保存手段と、
該表示制御モジュールに設けられて該入力装置から入力された更新する表示データを無線方式で該ビデオ・オーディオ制御回路の無線送受信回路に出力する無線送信回路と、を具え、
該入力装置を該接続ポートに接続して該表示装置に表示される表示コンテンツを更新できるように構成する。
【００１３】
請求項４に記載する表示モジュールの表示コンテンツを更新する手段を具えた監視用カメラは、請求項３においける監視カメラの少なくとも一方の面に発光手段が設けられ、
該接続ポートがＵＳＢポートか、ＰＳ２ポートか、もしくは２線、又は３線式コンセントであって、
前記入力装置が携帯電話機か、コンピュータか、パーソナル・ディジタル・アシストか、マウスか、もしくはキーボードの内の任意の一であって、
前記発光手段が液晶発光装置か、有機ＥＬか、もしくは発光ダイオードの内の任意の一であって
前記表示コンテンツが、文字、図形、記号、もしくはこれらの組み合わせの内の任意の一である。
【００１４】
請求項５に記載する表示モジュールの表示コンテンツを更新する手段を具えた監視用カメラは、前端に設けられたレンズと、少なくとも一方の側面に設けられた表示装置と、内設されるビデオ・オーディオ制御回路とを具え、かつ該レンズと該表示装置とが、それぞれ該ビデオ・オーディオ制御回路に電気的に接続し、さらに外部接続する電源供給手段をも含み構成される監視カメラと、
ビデオ・オーディオデータを保存、制御するためのインタフェイス手段を具え、該インタフェイス手段が、該コンピュータのマザーボードに電気的に接続するコンピュータと、
一端が該ディジタル監視カメラの後端に接続して該ディジタル監視カメラのビデオ・オーディオ制御回路に電気的に接続し、他端が該コンピュータに接続し、かつ該コンピュータと該ビデオ・オーディオデータ保存制御とに接続する少なくとも１以上の表示信号伝送ケーブルと、によってなり、
該コンピュータと該ビデオ・オーディオデータ保存制御インタフェイス８１と電気的に接続するインタフェイス手段を具える。
【００１５】
請求項６に記載する表示モジュールの表示コンテンツを更新する手段を具えた監視用カメラは、請求項５における記監視カメラの少なくとも一方の面に発光手段が設けられ、
該接続ポートがＵＳＢポートか、ＰＳ２ポートか、もしくは２線、又は３線式コンセントであって、
前記入力装置が携帯電話機か、コンピュータか、パーソナル・ディジタル・アシストか、マウスか、もしくはキーボードの内の任意の一であって、
前記発光手段が液晶発光装置か、有機ＥＬか、もしくは発光ダイオードの内の任意の一であって
前記表示コンテンツが、文字、図形、記号、もしくはこれらの組み合わせの内の任意の一である。
【図面の簡単な説明】
【００１６】
【図１】従来の監視用カメラを表した説明図である。
【図２】この考案による監視用カメラを表した説明図である。
【図３】他の実施の形態による監視用カメラを表した説明図である。
【図４】図２の監視用カメラの構造を示したブロック図である。
【図５】その他実施の形態による監視用カメラを表した説明図である。
【図６】図５の監視用カメラの構造を示したブロック図である。
【考案を実施するための形態】
【００１７】
図２、３、４に開示にこの発明の好ましい実施の形態を開示し、かつ図１にこの考案の実施に係るブロック図を開示する。図面によれば、この考案による装置は、少なくとも１以上の監視カメラ２と、ディジタルビデオ・オーディオデータ保存手段３と、少なくとも１以上のビデオ・オーディオケーブル５と、表示信号伝送ケーブル６とを具えてなる。
【００１８】
監視カメラ２は、前端に設けられたレンズ２１と、少なくとも一方の側面に設けられた表示装置２２と、内設されるビデオ・オーディオ制御回路２３とを具え、さらに監視カメラ２に外部接続する電源供給手段２４をも含み構成される。また、レンズ２１と表示装置２２は、それぞれビデオ・オーディオ制御回路２３に電気的に接続する。
【００１９】
ディジタルビデオ・オーディオデータ保存手段３は、メイン制御回路３１と、表示制御モジュール３２とによってなる。表示制御モジュール３２は、別途接続ポート３２１を有し、接続ポート３２１の一端は表示制御モジュール３２と電気的に接続し、他端を入力装置４の外部接続に供する。
【００２０】
ビデオ・オーディオケーブル５は一端が監視カメラ２の後端を経て、ビデオ・オーディオ制御回路２３に電気的に接続する。他端は  ディジタルビデオ・オーディオデータ保存手段３に設けられてディジタルビデオ・オーディオデータ保存手段３のメイン制御回路３１と電気的に接続する。
【００２１】
表示信号伝送ケーブル６は、一端を監視カメラ２の後端に接続して、監視カメラ２のビデオ・オーディオ制御回路２３に電気的に接続する。他端は、他端は  ディジタルビデオ・オーディオデータ保存手段３に接続して、ディジタルビデオ・オーディオデータ保存手段３の表示制御モジュール３２と電気的に接続する。
【００２２】
以上の構成によれば、入力装置４を接続ポート３２１に接続した場合、入力装置４によって、表示装置２２に表示される表示コンテンツ７を更新することができる。
【００２３】
入力装置４によって入力する更新コンテンツのデータは、先ず表示制御モジュール３２から表示信号伝送ケーブル６を介してビデオ・オーディオ制御回路２３に送信され、ビデオ・オーディオ制御回路２３によって表示装置の表示コンテンツ７を更新する。
【００２４】
係る方式によって、従来の技術に見られる欠点を改善することができる。即ち、表示装置に表示する表示コンテンツを交換する度に、高い場所に設置した監視カメラ本体１の内部の回路基板１１の制御回路１１１内に保存した表示コンテンツを更新するという煩雑な作業を簡略化することができる。
【００２５】
表示コンテンツ７は、文字、図形、記号、もしくはこれらの組み合わせの内の任意の一である。表示コンテンツが文字である場合は、例えば「いらっしゃいませ」、「撮影中」などの文字を表示する。当然のことながら図形、記号、もしくはこれらの組み合わせであってもよく、監視カメラ２を設置する場所、または監視カメラ２を使用する状況に合わせて適宜に調整する。
【００２６】
更に、監視カメラ２の少なくとも一方の面には、発光手段２５を設ける。発行手段２５は、発光することによって、保守を行う場合の便宜を図る目的を達成する。
【００２７】
入力装置４は、携帯電話機、コンピュータ、パーソナル・ディジタル・アシスト（ＰＤＡ）、マウス、キーボードの内の任意の一であってもよい。
【００２８】
上述するように、入力装置４は携帯電話機、コンピュータ、パーソナル・ディジタル・アシスト（ＰＤＡ）、マウス、キーボードの内のいずれであってもよく、特に携帯電話機、パーソナル・ディジタル・アシスト（ＰＤＡ）は日常生活の中で常用されており、機能の面でも、使用上の利便性においてもコンピュータに勝る。但し、これらに限定することはなく、今後、更に便利で、手早く入力できる装置、方法が開発され、商品化された場合、この新規な装置を利用して表示装置２２の表示コンテンツ７を更新してもよい。
【００２９】
また、上述する接続ポート３２１は、ＵＳＢポート、ＰＳ２ポート、もしくはその他形式のポート、コネクタであってもよく、入力装置４と電気的に接続し、更新したい表示コンテンツデータの伝達を中継できるものであればよい。
【００３０】
図３に、第２の実施の形態を開示する。図面によれば、第２の実施の形態は、少なくとも１以上の監視カメラ２と、ディジタルビデオ・オーディオデータ保存手段３とを具えてなる。
【００３１】
監視カメラ２は。前端に設けられたレンズ２１と、少なくとも一方の側面に設けられた表示装置２２と、内設されるビデオ・オーディオ制御回路２３とを具え、さらに監視カメラ２に外部接続する電源供給手段２４をも含み構成される。また、レンズ２１と表示装置２２は、それぞれビデオ・オーディオ制御回路２３に電気的に接続する。
【００３２】
ビデオ・オーディオ制御回路２３には、無線送受信回路２３１を設け、監視カメラ２１からの映像信号を、無線送受信回路２３１を介して発信する。さらに、無線送受信回路２３１を介して、更新する表示データを受信する。
【００３３】
ディジタルビデオ・オーディオデータ保存手段３は、メイン制御回路３１と、表示制御モジュール３２とによってなる。メイン制御回路３１には、無線受信回路３１１を設けて、ビデオ・オーディオ制御回路２３が出力する映像信号を受信する。また、表示制御モジュール３２は、別途接続ポート３２１を有し、接続ポート３２１の一端は表示制御モジュール３２と電気的に接続し、他端を入力装置４の外部接続に供する。
【００３４】
さらに、表示制御モジュール３２には無線送信回路３２２を設けて、入力装置４から入力された更新する表示データを無線方式でビデオ・オーディオ制御回路２３の無線送受信回路２３１に出力する。
【００３５】
以上の構成によれば、入力装置４を接続ポート３２１に接続した場合、入力装置４によって、表示装置２２に表示される表示コンテンツ７を更新することができる。
【００３６】
入力装置４によって入力した更新コンテンツのデータは、先ず表示制御モジュール３２に設けた無線送信回路３２２によって無線信号に転換され、かつ無線方式で発信され、ビデオ・オーディオ制御回路２３の無線送受信回路２３１が受信し、ビデオ・オーディオ制御回路２３から表示装置２２に出力されて、更新された表示コンテンツ７が表示される。
【００３７】
更に、監視カメラ２の少なくとも一方の面には、発光手段２５を設ける。発光手段２５は、液晶表示装置か、有機ＥＬか、発光ダイオードであって、発光することによって、保守を行う場合の便宜を図る目的を達成する。
【００３８】
入力装置４は、携帯電話機、コンピュータ、パーソナル・ディジタル・アシスト（ＰＤＡ）、マウス、キーボードの内の任意の一であってもよい。
【００３９】
上述するように、入力装置４は携帯電話機、コンピュータ、パーソナル・ディジタル・アシスト（ＰＤＡ）、マウス、キーボードの内のいずれであってもよく、特に携帯電話機、パーソナル・ディジタル・アシスト（ＰＤＡ）は日常生活の中で常用されており、機能の面でも、使用上の利便性においてもコンピュータに勝る。但し、これらに限定することはなく、今後、更に便利で、手早く入力できる装置、方法が開発され、商品化された場合、この新規な装置を利用して表示装置２２の表示コンテンツ７を更新してもよい。
【００４０】
また、上述する接続ポート３２１は、ＵＳＢポート、ＰＳ２ポート、もしくは２線、３線式コンセントであってもよく、入力装置４と電気的に接続し、更新したい表示コンテンツデータの伝達を中継できるものであればよい。
【００４１】
図５、６に第３の実施の形態と、関連するブロック図を開示する。図面によれば、この考案による装置は少なくとも１以上のディジタル監視カメラ２ａと、コンピュータ８と、少なくとも１以上のデータ送信ケーブル９とを具えてなる。
【００４２】
ディジタル監視カメラ２ａは。前端に設けられたレンズ２１ａと、少なくとも一方の側面に設けられた表示装置２２ａと、内設されるビデオ・オーディオ制御回路２３ａとを具え、さらにディジタル監視カメラ２ａに外部接続する電源供給手段２４ａをも含み構成される。また、レンズ２１ａと表示装置２２ａは、それぞれビデオ・オーディオ制御回路２３ａに電気的に接続する。
【００４３】
コンピュータ８はビデオ・オーディオデータを保存、制御するためのインタフェイス手段８１を具え、インタフェイス手段８１は、コンピュータ８のマザーボード８２に電気的に接続する。
【００４４】
データ送信ケーブル９は、ディジタル監視カメラ２ａの後端に接続して、ディジタル監視カメラ２ａのビデオ・オーディオ制御回路２３ａに電気的に接続する。他端は、他端は  コンピュータ８に接続してコンピュータ８はビデオ・オーディオデータ保存制御インタフェイス８１と電気的に接続する。
【００４５】
以上の構成によって、コンピュータ８の入力装置８３から入力される更新表示データを表示装置２２ａに入力して表示コンテンツ７を更新することができる。
【００４６】
コンピュータ８の入力装置８３から入力された更新表示データは、先ずコンピュータ８のマザーボード８２に伝送され、さらにビデオ・オーディオデータ保存制御インタフェイス８１に入力されて、データ送信ケーブル９を介してビデオ・オーディオ制御回路２３ａに伝送され、最終的にビデオ・オーディオ制御回路２３ａによって表示装置２２ａに表示する表示コンテンツ７を更新する。
【００４７】
また、コンピュータ８に内設するマザーボード８２は、複数のサーバー１０と電気的に接続してもよく、複数のサーバー１０が複数のコンピュータ８と電気的に接続することによって、さらに複数のコンピュータ８と複数のディジタル監視カメラ２ａとを電気的に接続することによって、広い領域に行きわたるディジタル監視カメラ２ａによる監視システムを構築することができる。
【符号の説明】
【００４８】
１                        監視カメラ本体
１１                    回路基板
１１１                制御回路
２                        監視カメラ
２ａ                    ディジタル監視カメラ
２１                    レンズ
２１ａ                レンズ
２２                    表示装置
２２ａ                表示装置
２３                    ビデオ・オーディオ制御回路
２３ａ                ビデオ・オーディオ制御回路
２３１                無線送受信回路
２４                    電源供給手段
２４ａ                電源供給手段
２５                    発光手段
３                        ディジタルビデオ・オーディオデータ保存手段
３１                    メイン制御回
３１１        無線受信回路
３２                    表示制御モジュール
３２１                接続ポート
３２２                無線送信回路
４                        入力装置
５                        ビデオ・オーディオケーブル
６                        表示信号伝送ケーブル
７                        表示コンテンツ
８                        コンピュータ
８１                    インタフェイス手段
８２                    マザーボード
８３                    入力装置
９                        データ送信ケーブル
１０                    サーバー
【図１】
0003182008.tif 000003
【図２】
0003182008.tif 000004
【図３】
0003182008.tif 000005
【図４】
0003182008.tif 000006
【図５】
0003182008.tif 000007
【図６】
0003182008.tif 000008